(57)【要約】      （修正有）【課題】採暖機能に加えて骨盤部の補整機能を備え、外部接続コード等の接触による不快感も少なく、使用感の良い、椅子用として好適な椅子用採暖クッションを提供する。【解決手段】外周部の一部を切欠いた略円板状のベース部２及びその表面に位置する隆起部５ａ，５ｂをクッション材により一体に形成したクッション本体１と、クッション本体１の表面のヒーター１５と、クッション本体１及びヒーター１５を包み込むクッションカバーとを備える。隆起部５ａ，５ｂは、骨盤支え部６ａ，６ｂと、左右の大腿支え部７ａ，７ｂとにより全体として平面視略Ｕ字形状をなし、その内側に位置するベース部２の表面を着座面４とする。ヒーター１５は、着座面４及び隆起部５ａ，５ｂに沿って配置され、その接続端子部１６は、大腿支え部７ａ，７ｂの一方の先端近傍に配置され、接続端子部１６に接続される外部接続コードを引き出している。【選択図】図１
0003187117.tif 000002
【実用新案登録請求の範囲】
【請求項１】
椅子の座面上に敷いて使用する椅子用採暖クッションであって、
外周部の一部を切欠いた略円板状のベース部及び当該ベース部の表面に位置する隆起部をクッション材により一体に形成してなるクッション本体と、
前記クッション本体の表面に配置されるヒーターと、
前記クッション本体及び前記ヒーターを包み込むクッションカバーとを備え、
前記隆起部は、前記ベース部の切欠の近傍に位置する骨盤支え部と、該骨盤支え部から前方に連なる左右の大腿支え部とにより外周部に略並行な円弧状をなすと共に、その内側に位置する前記ベース部の表面を着座面とし、
前記ヒーターは、着座面及び前記隆起部に沿って配置され、
前記ヒーターの接続端子部は、前記左右いずれか一方の大腿支え部の先端近傍で当該大腿支え部を避けて配置し、
前記接続端子部に接続される外部接続コードを前記大腿支え部の外側に向けて引き出したことを特徴とする椅子用採暖クッション。
【請求項２】
前記ベース部に前記接続端子部が収まる凹部を形成したことを特徴とする請求項１に記載の椅子用採暖クッション。
【請求項３】
前記ヒーターは前記クッションカバーの内面に配線され、
前記クッション本体を前記クッションカバー内に収めた状態で前記着座面及び前記隆起部に沿って配置されることを特徴とする請求項１または２に記載の椅子用採暖クッション。
【請求項４】
前記クッションカバーの内面にはフェルト材、前記ヒーター及び該これを覆う被覆布を順次貼り付けたことを特徴とする請求項３に記載の椅子用採暖クッション。
【請求項５】
前記ヒーターは線状で、被覆布により覆われてなり、
前記ヒーターの少なくとも前記隆起部に沿って配置される部位と当該部位に隣合う前記着座面側の部位との間において前記被覆布を前記クッションカバーに縫い止めしたことを特徴とする請求項３または４に記載の椅子用採暖クッション。
【請求項６】
前記クッション材は、硬質ウレタンフォームであることを特徴とする請求項１〜５のいずれか１項に記載の椅子用採暖クッション。
【請求項７】
前記クッション材は、低反発弾性フォームであることを特徴とする請求項１〜５のいずれか１項に記載の椅子用採暖クッション。
【考案の詳細な説明】
【技術分野】
【０００１】
本考案は、椅子の座面に敷いて使用し、着座により暖を採る椅子用採暖クッションに係り、さらに骨盤部の補整機能を有する椅子用採暖クッションに関するものである。
【背景技術】
【０００２】
着座により暖を採ることができる採暖クッションは、例えば、特許文献１により提案されている。
この採暖クッションは、ドーナツ状をなす２つのクッション材の間にヒーターユニットを配置してクッション本体を形成し、このクッション本体をクッションカバーにより覆い、カバーの外周面から外部接続コードを導出する構造であり、椅子、ソファー、床等で使用されることが記載されている。
【０００３】
一方、最近、着座面の周囲に骨盤支え部及び大腿支え部を形成し、着座時に骨盤部から大腿部を安定して支え、正しい姿勢を維持することにより骨盤部の補整機能を有する骨盤クッションが多く市販されている。
【先行技術文献】
【特許文献】
【０００４】
【特許文献１】特開２００８−７３２７６号公報
【考案の概要】
【考案が解決しようとする課題】
【０００５】
特許文献１記載の採暖クッションは、椅子で使用することが記載されているが、実際に椅子の座面に敷いて使用した場合に採暖クッションの方向性が定まらないため、外部接続コードが椅子の背凭れやひじ掛けの支柱に引っかかったり、外部接続コードが支柱によって極端に折り曲げられたりすることとなり、又、背凭れ等の支柱を避けた場合には、外部接続コードが足に触れたり絡まったりして、使用者に不快感を与えるものであった。
【０００６】
また、特許文献１記載の採暖クッションに市販の骨盤クッションに見られる骨盤部の補整機能を付加しようとした場合には、クッション材に硬質ウレタンフォームや低反発弾性フォームの如き軟質ウレタンフォームで形成する必要があり、このようなウレタンフォームからなるクッション材間にヒーターを配置した場合には十分な採暖効果が得られず、また、クッション材の表面にヒーターユニットを配置すると、ヒーターの接続端子部の配置に骨盤支え部や大腿支え部による制約が加わり、外部接続コードの引き出しに苦慮するという問題が発生する。
【０００７】
本考案はこのような状況に鑑みてなされたものであり、採暖機能に加えて骨盤部の補整機能を備え、外部接続コード等の接触による不快感も少なく、使用感の良い、椅子用として好適な採暖クッションを提供することを目的とする。
【課題を解決するための手段】
【０００８】
上記課題を解決するために、本考案に係る椅子用採暖クッションは、外周部の一部を切欠いた略円板状のベース部及び当該ベース部の表面に位置する隆起部をクッション材により一体に形成してなるクッション本体と、前記クッション本体の表面に配置されるヒーターと、前記クッション本体及び前記ヒーターを包み込むクッションカバーとを備え、前記隆起部は、前記ベース部の切欠の近傍に位置する骨盤支え部と、該骨盤支え部から前方に連なる左右の大腿支え部とにより外周部に略並行な円弧状をなすと共に、その内側に位置する前記ベース部の表面を着座面とし、前記ヒーターは、着座面及び前記隆起部に沿って配置され、前記ヒーターの接続端子部は、前記左右いずれか一方の大腿支え部の先端近傍で当該大腿支え部を避けて配置し、前記接続端子部に接続される外部接続コードを前記大腿支え部の外側に向けて引き出したことを特徴とする。
【０００９】
上記の構成によれば、ベース部の切欠を背凭れの支柱に対向させて椅子の座面に敷くことになり、採暖クッションの方向性が定まり、外部接続コードが背凭れやひじ掛け等の支柱に当たることがなく、採暖クッションは座面上で安定する。
また、椅子の座面に敷いて着座により暖を採ることができる上に、隆起部の骨盤支え部及び大腿支え部により骨盤部から大腿部を安定して支え、正しい姿勢を維持できることから、骨盤部の補整機能も得られる。
さらに、円弧状の隆起部の大腿支え部とヒーターの接続端子部との位置関係により、外部接続コードの引き出し位置及び方向は、着座した際に使用者に最も触れにくい位置及び方向にあって、外部接続コード等による不快感も少なく、好ましい使用感が得られる。
【００１０】
また、本考案に係る椅子用採暖クッションは、前記クッション本体のベース部に前記接続端子部が収まる凹部を形成し、ヒーターの接続端子部がベース部の表面上に突出しないようにすることが好ましい。
【００１１】
この構成によれば、接続端子部が着座面上に突出せず、使用感を損なうことがなくなる。
【００１２】
また、本考案に係る椅子用採暖クッションは、前記ヒーターが前記クッションカバーの内面に配線され、前記クッション本体を前記クッションカバー内に収めた状態で前記着座面及び前記隆起部に沿って配置されることが好ましい。さらに、前記クッションカバーの内面には、フェルト材、前記ヒーター及び該これを覆う被覆布を順次貼り付けることが好ましい。
【００１３】
この構成によれば、ヒーターの配線作業は、嵩の大きなクッション本体を扱いながら行う場合に比較して容易となる。
【００１４】
さらに、本考案に係る椅子用採暖クッションは、クッションカバーの内面に線状のヒーターを配線し、このヒーターを被覆布により覆い、前記ヒーターの少なくとも前記隆起部に沿って配置される部位と当該部位に隣合う前記着座面側の部位との間において前記被覆布を前記クッションカバーに縫い止めすることが好ましい。
【００１５】
この構成によれば、使用者が着座する際に臀部及び大腿部が隆起部に擦れる結果、ヒーターの隆起部に配置される部位が着座面側にずれて、ヒーターの着座面側の部位と接触する懸念があるところ、前記縫い止めによりヒーターの部位同士の接触が防止される。
【００１６】
また、本考案に係る椅子用採暖クッションは、クッション本体を硬質ウレタンフォームや低反発弾性フォームにより形成することが好ましい。
【００１７】
この構成によれば、着座時に使用者の体重による必要以上の沈み込みが防止され、骨盤部の補整機能に効果的である。
【考案の効果】
【００１８】
本考案に係る椅子用採暖クッションによれば、採暖機能に加えて骨盤部の補整機能を備え、外部接続コード等の接触による不快感も少なく、使用感の良い、椅子用として好適な採暖クッションを提供することができる。
【図面の簡単な説明】
【００１９】
【図１】本考案の第１の実施の形態に係る椅子用採暖クッションに用いられるクッション本体とヒーターとの関係を示す平面図である。
【図２Ａ】同クッション本体の側面図である。
【図２Ｂ】同クッション本体の正面図である。
【図３】本考案の第１の実施の形態に係る椅子用採暖クッションの外観を示す平面図である。
【図４】同クッションカバーの底面図である。
【図５】本考案の第２の実施の形態に係る椅子用採暖クッションのクッションカバーとヒーターとの関係を示す説明図である。
【図６】図５のＡ―Ａ線断面図である。
【考案を実施するための形態】
【００２０】
（第１の実施の形態）
以下、本考案の第１の実施の形態について図１乃至図４を参照しながら説明する。なお、以下の実施の形態は、本考案を具現化した一例であって、本考案の技術的範囲を限定する性格のものではない。
【００２１】
椅子用採暖クッションのクッション本体１は、外周部の一部（後縁部）を直線的に切欠いてなる略円板状のベース部２と、外周部に略並行な円弧状をなす一対の隆起部５ａ，５ｂとを有する。
【００２２】
クッション本体１は、ベース部２と隆起部５ａ，５ｂとをクッション材により一体に形成し、全体として平面視略Ｕ字形状をなす隆起部５ａ，５ｂの内側に位置するベース部２の表面を着座面４としている。前記クッション材としては、硬質ウレタンフォームや低反発弾性フォームのように、着座時に使用者の体重により必要以上に沈み込まない材料が好ましい。
また、クッション本体１は、ベース部２の後縁にある切欠３を背凭れの支柱部分に対向して椅子の座面上に敷かれることになるため、座面に敷く際に常に方向が定まり、前方への突出も抑えられ、座面における座りが安定する。
【００２３】
隆起部５ａ，５ｂは、切欠３の両端近傍から前方へかけて、外周部に対し略並行となるように円弧状に左右一対形成されており、全体として平面視略Ｕ字形状をなしている。この略Ｕ字形状の開口は、切欠３とは反対側（前方）に向いている。
隆起部５ａ，５ｂは、それぞれ切欠３の近傍に位置する骨盤支え部６ａ，６ｂ及びこれより前方に連なる大腿支え部７ａ，７ｂからなっている。前記大腿支え部７ａ，７ｂは、前方に向うに従って高さが低くなるように形成され、その先端は、ベース部２の前後方向の中間位置より前方位置まで延びている。
隆起部５ａ，５ｂは、着座した際に臀部及び大腿部の開きを抑制し、正しい姿勢を維持することにより、骨盤部の補整機能を有する。
【００２４】
尚、本実施の形態では、隆起部５ａ，５ｂは骨盤支え部で左右に分割されているが、分割せずに左右を一連のものとして形成しても良い。
【００２５】
また、クッション本体１は、ベース２の表面に一方の大腿支え部７ｂの先端近傍で且つ該大腿支え部７ｂを避けて凹部８を形成しており、この凹部８は、後述するヒーターの接続端子部であるコネクタ受けを収め、当該コネクタ受け及びこれに差込み接続するコネクタプラグのベース部２表面への突出を抑制する。
【００２６】
クッションカバー９は、クッション本体１と同様の略円板形状を有し、クッション本体１を包み込むものであり、クッション本体１の切欠３に対応する直線部１０を有する。クッションカバー９は、表カバー１１と、上布１２ａ及び下布１２ｂからなる裏カバー１２とを互いにその外周で縫合することにより形成される。
【００２７】
上布１２ａと下布１２ｂは、裏カバー１２の前後方向の中間位置においてある程度の幅で互いに重合し、この重合部分にてクッションカバー９の左右略全幅に渡って延びる開口部１３を形成しており、この開口部１３を介してクッション本体１をクッションカバー９に出し入れ可能としている。
尚、開口部１３は、上布１２ａと下布１２ｂ間に面ファスナー等を適宜設けることにより、閉状態に保持できるようにすることが好ましい。
【００２８】
また、クッションカバー９の外周部には、クッション本体１を収めた状態で凹部８と対向する部位に外部導出口１４を形成し、この外部導出口１４を介してコネクタプラグをコネクタ受けに差込み接続する。
【００２９】
ヒーター１５は、柔軟性を有するヒーター線よりなり、クッションカバー９の表カバー１１内面に蛇行状に配線される。表カバー１１の内面にフェルト材、ヒーター１５及びガーゼ等の被覆布を両面テープ等で順次貼り付けることにより、ヒーター１５を表カバー１１の内面に装着する。
ヒーター１５は、図１に示すように、クッション本体１をクッションカバー９内に収めた状態で、着座面４及び隆起部５に沿って配置されることになる。従って、ヒーター１５は、使用者が着座した際に着座面４及び骨盤支え部６ａ，６ｂに接する臀部、大腿支え部７ａ，７ｂに接する大腿部より暖めることができる。
【００３０】
ヒーター１５の両端には接続端子部であるコネクタ受け１６が接続されており、コネクタ受け１６は、クッション本体１をクッションカバー９内に収めた状態で凹部８内に配置する。
コネクタ受け１６には、コネクタプラグ１７が着脱自在に差込み接続されることになるが、コネクタプラグ１７の接続方向Ｌ１がクッション本体１の半径方向と一致しかつ大腿支え部７ｂの先端から前方に延びる線Ｌ２に対して例えば４５度傾斜するよう、凹部８の形状及び位置が決定される。従って、コネクタ受け１６に差込み接続されるコネクタプラグ１７の外部接続コード１８は、大腿支え部７ｂの外側に向けて引き出されることになる。
【００３１】
本実施の形態に係る採暖クッションの構成によれば、ベース部２の切欠３を背凭れ側に向けて椅子の座面上に敷くことにより、採暖クッションの方向性が定まり、その上、
ヒーター１５の接続端子部であるコネクタ受け１６は、大腿支え部７ｂの先端近傍でかつ該大腿支え部７ｂを避けた位置にあって、コネクタ受け１６に接続されるコネクタプラグ１７及びその外部接続コード１８が背凭れやさらにひじ掛けを有する椅子にあっても障害とはならず、椅子の座面上に安定した状態で敷くことができる。また、外部接続コード１８が背凭れやひじ掛けの支柱との接触により極端に折り曲げられたりすることもなくなる。
【００３２】
また、本実施の形態に係る採暖クッションへの着座により、骨盤部から大腿部が隆起部５ａ，５ｂによって支えられ、正しい姿勢が維持され、骨盤部の補整機能が得られると共に、臀部から大腿部にかけてヒーター１５により暖められ、暖を採ることができる。
【００３３】
さらに、着座した状態では、大腿部の開きが大腿支え部７ａ，７ｂにより抑制され、凹部８が大腿支え部７ｂの先端近傍でかつ該大腿支え部７ｂを避けて位置することと相まって、コネクタ受け１６、これに差込み接続されるコネクタプラグ１７及び外部接続コード１８の引き出し位置は、最も大腿部と接触し難い位置にあって、外部接続コードの足への絡み等の懸念も少なくなり、好ましい使用感が得られる。
【００３４】
（第２の実施の形態）
先の実施形態では、クッションカバー９の内面にフェルト材、ヒーター及び被覆布を両面テープ等を用いて単に貼り付けた構成であるため、使用者の臀部及び大腿部が隆起部５ａ，５ｂの内側面に沿って擦れながら着座する際に、ヒーター１５の隆起部５ａ，５ｂの内側面に配置される部位１５ａに着座面４方向への力が加わり、部位１５ａが位置ずれを起こしこれと隣合う着座面４に配置された部位１５ｂと接触する虞れがある。
このような虞れを解消するため、第２の実施形態では、図５及び図６に示すように、ヒーター１５の部位１５ａと部位１５ｂ間において表カバー１１、フェルト材１９及び被覆布２０をミシン縫い２１等により縫い止める構成としたものである。
【００３５】
（他の実施の形態）
先の実施の形態では、ヒーター１５の接続端子部としてコネクタ受けを使用し、コネクタ受けにコネクタプラグを着脱自在に差込み接続しているが、ヒーター１５の両端に電源コード等の外部接続コードを直結し、その接続部を凹部８に収めるようにしてもよい。
【００３６】
また、ヒーター１５は、両面テープ等による貼り付けによらず、被覆布１６、フェルト材及び表カバー１１をミシン縫い等により縫い付け、クッションカバー９の内面に配線装着するようにしても良い。
【００３７】
また、ヒーター１５は、クッション本体１の着座面４及び隆起部５ａ，５ｂの内側面に両面テープ等により貼り付けるようにしてもよい。ただし、この場合には、隆起部５ａ，５ｂの内側面にヒーター１５の部位１５ａが嵌り込む溝を設けて、部位１５ａの位置ずれによるヒーター１５同士の接触を防止することが好ましい。
【符号の説明】
【００３８】
１  クッション本体
２  ベース部
３  切欠
４  着座面
５ａ，５ｂ  隆起部
６ａ，６ｂ  骨盤支え部
７ａ，７ｂ  大腿支え部
８  凹部
９  クッションカバー
１５  ヒーター
１６  コネクタ受け（ヒーターの接続端子部）
１７  コネクタプラグ
１８  外部接続コード
【図１】
0003187117.tif 000003
【図２Ａ】
0003187117.tif 000004
【図２Ｂ】
0003187117.tif 000005
【図３】
0003187117.tif 000006
【図４】
0003187117.tif 000007
【図５】
0003187117.tif 000008
【図６】
0003187117.tif 000009